(57)【要約】【課題】使用者の姿勢や表示パネルの設置場所等の使用状況に十分対応することができ、かつ安定性、省スペース化を図り得る表示パネルの支持構造及びこれを用いた画像表示装置を提供すること。【解決手段】画面部１１及びこの画面部１１に取り付けられた枠部１２を有する表示パネル１を支持するスタンド２を備える。スタンド２は、表示パネル１の裏面の枠部１２の下半部に上下スライド可能に設けられたスライド部２１と、このスライド部２１に設けられた第１水平軸２２の廻りに回動可能に設けられ、表示パネル１の後方への倒れを阻止する後方支持部２３と、スライド部２１に設けられた第２水平軸２４の廻りに回動可能に設けられ、スライド部２１の下方へのスライドによって前方へ突出可能となって表示パネル１の前方への倒れを阻止する前方支持部２５とを備えてなる。【選択図】  図３
2004317855.tif 000002
【特許請求の範囲】
【請求項１】
画面部及びこの画面部に取り付けられた枠部を有する表示パネルを支持するスタンドを備え、
前記スタンドは、表示パネルの裏面の枠部の上下高さ略中間位置に回動可能に設けられ、表示パネルの後方への倒れを阻止する後方支持部と、表示パネルの裏面の枠部の下半部に回動可能に設けられ、表示パネルの前方への倒れを阻止する前方支持部とを備えてなることを特徴とする表示パネルの支持構造。
【請求項２】
スタンドが、表示パネルの裏面の枠部の下半部に上下スライド可能に設けられたスライド部をさらに備え、
後方支持部は、前記スライド部に第１水平軸を介して回動可能に取り付けられ、
前方支持部は、前記スライド部又は後方支持部に前記第１水平軸よりも下方の第２水平軸を介して回動可能に取り付けられ、スライド部の下方へのスライドによって前方へ突出可能に構成された請求項１に記載の表示パネルの支持構造。
【請求項３】
スタンドが、後方支持部の後方への一定角度以上の回動を規制するストッパ機構部をさらに備えてなる請求項１又は２に記載の表示パネルの支持構造。
【請求項４】
ストッパ機構部は、スライド部が所定位置よりも上方にある状態のときに、後方支持部の前方への一定角度以下の回動を規制するように構成されている請求項３に記載の表示パネルの支持構造。
【請求項５】
スライド部はブロック形であり、前方支持部は、スライド部の下端に設けられた第２水平軸の左右端にそれぞれ連設されて略直交する方向に延びる左右１対の回動脚を有し、この左右１対の回動脚を第２水平軸廻りに前方へ回動させて表示パネルの正立状態乃至俯き状態に切換え可能で、かつ左右１対の回動脚を第２水平軸廻りに後方へ回動させて表示パネルの裏面に沿わせた折り畳み状態に切換え可能である請求項２〜４の何れか１つに記載の表示パネルの支持構造。
【請求項６】
スライド部はブロック形であり、前方支持部は、後方支持部の下端に設けられた第２水平軸の左右端にそれぞれ連設されて略直交する方向に延びる左右１対の回動脚を有し、この左右１対の回動脚を第２水平軸廻りに前方へ回動させて表示パネルの正立状態乃至俯き状態に切換え可能で、かつ左右１対の回動脚を第２水平軸廻りに後方へ回動させて表示パネルの裏面に沿わせた折り畳み状態に切換え可能である請求項２〜４の何れか１つに記載の表示パネルの支持構造。
【請求項７】
スライド部は、表示パネルの枠部の裏面の下半部に上下スライド可能に設けられた第１水平軸であり、前方支持部は、後方支持部の下端に設けられた第２水平軸の左右端にそれぞれ連設されて略直交する方向に延びる左右１対の回動脚を有し、この左右１対の回動脚を第２水平軸廻りに前方へ回動させて表示パネルの正立状態乃至俯き状態に切換え可能で、かつ左右１対の回動脚を第２水平軸廻りに後方へ回動させて表示パネルの裏面側に沿わせた折り畳み状態に切換え可能である請求項２〜４の何れか１つに記載の表示パネルの支持構造。
【請求項８】
画面部及びこの画面部に取り付けられた枠部を有する表示パネルと、請求項１〜７の何れか１つに記載の表示パネルの支持構造とを備えたことを特徴とする画像表示装置。
【発明の詳細な説明】
【０００１】
【発明の属する技術分野】
本発明は、表示パネルの支持構造及びこれを用いた画像表示装置に関し、さらに詳しくは、液晶ディスプレイやプラズマディスプレイ等の薄型ディスプレイの衝立式スタンド構造に関する。
【０００２】
【従来の技術】
従来、薄型ディスプレイの衝立式スタンド構造としては、表示パネルの裏面の枠部の下端縁近傍に沿って設けられた水平軸と、この水平軸に回動可能に取り付けられた左右中央位置の前方支持板及び左右一対の後方支持板とを備えたものが公知である（例えば、特許文献１参照）。この特許文献１の衝立式スタンド構造によれば、各支持板を後方へ一杯まで回動させて表示パネルの裏面に沿わせた折り畳み状態と、表示パネルを支持する支持状態に切換えることができる。折り畳み状態から支持状態への切換えに際しては、前方支持板を表示面と略平行になるまで前方へ回動させると共に、左右一対の後方支持板を表示パネルの裏面側にある程度突出させた状態まで回動させることにより、表示パネルを後方へ傾斜させた状態で支持するようにしている。
また、別の薄型ディスプレイの衝立式スタンド構造としては、表示パネルの裏面にヒンジ部を介してアーム部が角度調整可能に取り付けられたものが公知である（例えば、特許文献２参照）。この特許文献２の衝立式スタンド構造によれば、アーム部をヒンジ部の回転軸を中心に回転させて表示パネルの角度調整を行うようにしている。
【０００３】
【特許文献１】
米国特許：ＵＳ６，１９１，９４０  Ｂ１
【特許文献２】
特開２００１−１９５００２号公報
【０００４】
【発明が解決しようとする課題】
しかしながら、これら従来の薄型ディスプレイの衝立式スタンド構造では、表示部パネルを正立（直立）状態に支持するには安定性に欠け、やや前方に傾けた俯き状態に支持することは構造上不可能である。したがって、薄型ディスプレイの設置位置と使用者の目の位置との関係によって、例えば、机やサイドボードの上に設置した薄型ディスプレイの画像を寝転んで見るというような場合には、視認性が悪くあるいは全く見えないことがあり、このような使用者の姿勢や表示パネルの設置場所等の使用状況に十分対応することができなかった。また、表示パネルと後方支持板とでなす角度がある一定以上の狭角となると安定性を欠き、転倒の危険性も伴っていた。また、この衝立式スタンド構造では、表示パネルをある一定以上後方へ倒していくと、設置スペース（占有面積）が極端に増大してしまう。
【０００５】
本発明の主要な目的の一つは、使用者の姿勢や表示パネルの設置場所等の使用状況に十分対応することができ、かつ安定性、省スペース化を図り得る表示パネルの支持構造及びこれを用いた画像表示装置を提供することにある。
【０００６】
【課題を解決するための手段】
かくして、本発明によれば、画面部及びこの画面部に取り付けられた枠部を有する表示パネルを支持するスタンドを備え、
前記スタンドは、表示パネルの裏面の枠部の上下高さ略中間位置に回動可能に設けられ、表示パネルの後方への倒れを阻止する後方支持部と、表示パネルの裏面の枠部の下半部に回動可能に設けられ、表示パネルの前方への倒れを阻止する前方支持部とを備えてなる表示パネルの支持構造が提供される。
ここで、本発明において、表示パネルは、液晶ディスプレイやプラズマディスプレイ等の薄型ディスプレイが対象とされる。また、表示パネルにおける上下左右前後の方向は、表示パネルをスタンドにて支持した状態で画面部を見たときの上下左右の方向であり、かつ画面部側が前方（表側）であると定義する。
【０００７】
本発明はこのように構成されているので、表示パネルをある程度後方へ傾斜させた仰向け状態は無論のこと、転倒しない安全性を確保しながら表示パネル部の正立状態、もしくはこれに近い傾斜角の仰向け状態や、前方へやや傾いた俯き状態に支持することが可能となる。したがって、使用者の姿勢や表示パネルの設置場所等の使用状況に十分対応することができる。
【０００８】
本発明において、スタンドが、表示パネルの裏面の枠部の下半部に上下スライド可能に設けられたスライド部をさらに備え、
後方支持部は、前記スライド部に第１水平軸を介して回動可能に取り付けられ、
前方支持部は、前記スライド部又は後方支持部に前記第１水平軸よりも下方の第２水平軸を介して回動可能に取り付けられ、スライド部の下方へのスライドによって前方へ突出可能に構成されたものとしてもよい。
このようにすれば、表示パネルに対して後方支持部の角度がある程度大きく、表示パネルの安定性が十分確保されている状態では、スライド部材は上方位置にあって前方支持部は前方に突出しないので、表示パネルの傾斜角度に対応して最小の設置面積を実現できる。つまり、表示パネルのチルト角度によって設置面積は変化するが、それぞれのチルト角度において転倒しない安全性を確保しながら省スペース化を実現できる。
【０００９】
本発明の表示パネルの支持構造は、スタンドが、後方支持部の後方への一定角度以上の回動を規制するストッパ機構部をさらに備えてなるものであるのも好ましい。このように構成すれば、後方支持部が不意に開き過ぎて表示パネルが後方へ倒れるようなことがない。つまり、ストッパ機構部が後方支持部の後方への開き過ぎ防止に作用する。
このようなストッパ機構部の構成としては、後方支持部の後方への回動に伴って一体的に回動する後方支持部側に設けられる前当接面と、この前当接面と当接する表示パネル側に設けられる当たり面とを少なくとも備える構成であれば、形状、構造等は特に限定されるものではない。
【００１０】
さらに、このストッパ機構部は、スライド部が所定位置よりも上方にある状態のときに、後方支持部の前方への一定角度以下の回動を規制するように構成されているものとしてもよい。このように構成すれば、前方支持部の作用なしでも表示パネルが正立状態となる手前の仰向け状態に安定して支持できる範囲が制限される。つまり、前方支持部が作用する以前の状態において、ストッパ機構部が前方支持部材の閉じ過ぎ防止に作用する。また、ストッパ機構部により後方支持部の前方への回動が規制された時点は、これ以上表示パネルを正立状態に近づけるにはスライド部を下げて前方支持部を前方へ突出させるべきであるという合図となり、この合図により使用者は前方突出部材を前方へ突出させて正しい安全な状態で表示パネルを正立状態、それに近い仰向け状態あるいは俯き状態に設置することができる。
このようなストッパ機構部の構成としては、後方支持部の前方への回動に伴って一体的に回動する後方支持部側に設けられる後当接面と、この後当接面と当接する表示パネル側に設けられる当たり面とを少なくとも備える構成であれば、形状、構造等は特に限定されるものではない。
【００１１】
本発明の表示パネルの支持構造の具体構成としては、次の（１）（２）（３）の構成を挙げることができる。
（１）スライド部はブロック形であり、前方支持部は、スライド部の下端に設けられた第２水平軸の左右端にそれぞれ連設されて略直交する方向に延びる左右１対の回動脚を有し、この左右１対の回動脚を第２水平軸廻りに前方へ回動させて表示パネルの正立状態乃至俯き状態に切換え可能で、かつ左右１対の回動脚を第２水平軸廻りに後方へ回動させて表示パネルの裏面に沿わせた折り畳み状態に切換え可能とした構成。
（２）スライド部はブロック形であり、前方支持部は、後方支持部の下端に設けられた第２水平軸の左右端にそれぞれ連設されて略直交する方向に延びる左右１対の回動脚を有し、この左右１対の回動脚を第２水平軸廻りに前方へ回動させて表示パネルの正立状態乃至俯き状態に切換え可能で、かつ左右１対の回動脚を第２水平軸廻りに後方へ回動させて表示パネルの裏面に沿わせた折り畳み状態に切換え可能とした構成。
（３）スライド部は、表示パネルの枠部の裏面の下半部に上下スライド可能に設けられた第１水平軸であり、前方支持部は、後方支持部の下端に設けられた第２水平軸の左右端にそれぞれ連設されて略直交する方向に延びる左右１対の回動脚を有し、この左右１対の回動脚を第２水平軸廻りに前方へ回動させて表示パネルの正立状態乃至俯き状態に切換え可能で、かつ左右１対の回動脚を第２水平軸廻りに後方へ回動させて表示パネルの裏面側に沿わせた折り畳み状態に切換え可能とした構成。
なお、各構成（１）（２）（３）において、第２水平軸と左右の回動脚とは一体でも、別体でもどちらでもよい。
【００１２】
本発明は、別の観点によれば、画面部及びこの画面部に取り付けられた枠部を有する表示パネルと、上述した表示パネルの支持構造とを備えた画像表示装置を提供することができる。
【００１３】
【発明の実施の形態】
以下、実施の形態を示す図面に基づいて本発明を詳説する。なお、本発明は実施の形態に限定されるものではない。
【００１４】
［実施の形態１］
図１は本発明の実施の形態１の画像表示装置を示す正面図であり、図２は同実施の形態１の画像表示装置の背面図であり、図３は同実施の形態１の画像表示装置の各種状態を示す斜視図であり、図４は同実施の形態１の画像表示装置の各種状態を示す側面図であり、図５は同実施の形態１の画像表示装置の梱包時の状態を示す斜視図であり、図６は同実施の形態１の画像表示装置における支持構造を示す斜視図であり、図７は図６の支持構造の分解図であり、図８は同実施の形態１の画像表示装置における表示パネルの裏面側の枠部を示す斜視図であり、図９は図４（ａ）の要部拡大図であり、図１０は図４（ｂ）の要部拡大図である。
【００１５】
この実施の形態１の画像表示装置Ｇ１は、表示パネル１と、表示パネル１を支持する衝立式スタンド構造のスタンド２とを備える。
この画像表示装置Ｇ１は、スタンド２を操作することにより、図４（ａ）〜（ｃ）に示すように表示パネル１を後方へ傾いた状態（仰向け状態）で安定して支持し、かつチルト角度（後方への傾斜角度）θを変更することができ、さらに図４（ｄ）に示すように安定して表示パネル１を正立状態、あるいは図４（ｅ）に示すように前方へやや傾いた俯き状態とすることができる。また、図４（ｆ）と図５に示すようにスタンド２をコンパクトな収納状態とすることができる。
【００１６】
表示パネル１は、画像を表示する矩形の画面部１１と、この画面部１１に取り付けられた枠部１２をと有し、枠部１２は、画面部１１の上下左右の四辺を覆う前枠１２ａと、画面部１１の裏面を覆う後枠１２ｂとからなる。
【００１７】
図８に示すように、枠部１２の後枠１２ｂの裏面は、その下半部が上半部よりも薄く形成されており、この厚みの薄い下半部の左右中央位置にスタンド２を上下スライド可能に取り付ける上下１対の掛合凸部１３ａ、１３ａからなる取付部１３と、取付部１３の上部の上半部と下半部の間の段付部に下方開口状の凹部１４が設けられている。掛合凸部１３ａは、上下方向から見てＴ字形に形成されている。なお、凹部１４について詳しくは後述する。
【００１８】
図６と図７に示すように、スタンド２は、表示パネル１の裏面の枠部１２（後枠１２ｂ）の下半部に上下スライド可能に設けられたブロック形のスライド部２１と、このスライド部２１の上端に設けられた第１水平軸２２の廻りに回動可能に設けられ、表示パネル１の後方への倒れを阻止する後方支持部２３と、スライド部２１の下端に設けられた第２水平軸２４の廻りに回動可能に設けられ、スライド部２１の下方へのスライドによって前方へ突出可能となって表示パネル１の前方への倒れを阻止する前方支持部２５とを備えている。
【００１９】
スライド部２１は、上下１対のＴ字形の掛合孔２６ａ、２６ａを有する矩形平板部２６ｂ、及び矩形平板部２６ｂの左右端縁に沿ってそれぞれ後方突出状に連設された左右１対の側面部２６ｃ、２６ｃを有するスライド部本体２６と、下端に第２水平軸２４を回動可能に保持する断面Ｃ字形の保持部２７ａを有し、スライド部本体２６の裏面側に複数のビス２８にて取り付けられるカバー部材２７とからなる。なお、上記第１水平軸２２は、スライド部本体２６の左右１対の側面部２６ｃ、２６ｃの外面上端に同一軸心上にそれぞれ突設されており、その先端側にはナット３０、３０と螺合する図示省略の雄ネジが形成されている。
【００２０】
後方支持部２３は、左右の第１水平軸２２、２２をそれぞれ挿通させる孔部２９ａ、２９ａを上端に有する左右１対の断面一部Ｌ字形のヒンジ部材２９、２９と、ワッシャ及びナット３０にて左右の第１水平軸２２、２２に回動可能に取り付けられた左右１対の断面Ｌ字形のヒンジ部材２９、２９に複数のビス３１にて取り付けられるヒンジカバー３２と、ヒンジカバー３２の下端に沿って取り付けられるゴム脚３３とからなる。なお、後方支持部２３がぐらつかないように、各ヒンジ部材２９はワッシャを介してナット３０にてある程度のトルクをもって締め付けられる。
【００２１】
第２水平軸２４は、丸棒材からなり、その長手方向中央位置には凹周溝２４ａが設けられている。第２水平軸２４をスライド部２１のカバー部材２７の保持部２７ａに嵌め込んだ際に、保持部２７ａの内面の左右中間位置に設けられた突条が前記凹周溝２４ａと掛合し、第２水平軸２４の左右への移動が規制される。
【００２２】
前支持部材２５は、第２水平軸の左右端にそれぞれ連設されて略直交する方向に延びる左右１対の回動脚２５ａ、２５ａと、各回動脚２５ａ、２５ａの先端に取付られるゴム脚２５ｂ、２５ｂとからなる。
【００２３】
このスタンド２を表示パネル１に取り付けるに際しては、スライド部２１の上下の掛合孔２６ａ、２６ａの上端部分に、取付部１３の上下の掛合凸部１３ａ、１３ａのヘッド部を挿入し、スタンド２を上方へスライドさせることにより、掛合凸部１３ａ、１３ａのヘッド部がスライド部本体２６の矩形平板部２６ｂに引っ掛かって掛合する。なお、表示パネル１の取付部１３の左右には、スライド部２１の左右側面に近接乃至当接する左右１対のガイド壁１５、１５が設けられている。また、後枠１２ｂの下端面には、スタンド２の後述する前方支持部２５を構成する左右１対の回動脚２５ａ、２５ａを嵌め込んで前後方向への移動をガイドする直角三角形のガイド片１６が４枚設けられている。
【００２４】
また、本発明の画像表示装置Ｇ１は、スタンド２の後方支持部２３の後方への一定角度以上の回動を規制すると共に、スライド部２１が所定位置よりも上方にある状態のときに、後方支持部２３の前方への一定角度以上の回動を規制するストッパ機構部４を備えている。
【００２５】
このストッパ機構部４は、後方支持部２３の上端に沿って上方突出状に連設された三角形状の突条部４１と、表示パネル１に設けられた上記凹部１４と、表示パネル１の裏面の凹部１４の下部とから構成されている。突条部４１は、その前方側の前当接面４１ａと、後方側の後当接面４１ｂとを有する。凹部１４は、その内面における前方側の前方側当たり面１４ａと、この当たり面１４ａと対向する後方側当たり面１４ｂとを有する。
【００２６】
ストッパ機構部４は、前方支持部２５を前方に出さないと一定角度以上回動出来ないようなスライド部の動きに連動した構造であり、スタンド２が表示パネル１に対して上方のスライド位置にある場合に、図４（ａ）と図９に示すように、後方支持部２３が後方へ回動して突条部４１の前当接面４１ａが凹部１４の前方側当たり面１４ａに当接することにより、後方支持部２３の後方への一定角度以上の回動を規制するように作用し、一方図４（ｂ）と図１０に示すように、後方支持部２３が前方へ回動して突条部４１の後当接面４１ｂが凹部１４の後方側当たり面１４ｂに当接することにより、後方支持部２３の前方への一定角度以下の回動を規制するように作用する。
【００２７】
次に、この画像表示装置Ｇ１の各種使用状態等について説明する。
図４（ａ）は、表示パネル１のチルト角度θを最大角度（この場合、約３０°）にして画像表示装置Ｇ１を設置した状態を示している。この場合、前方支持部２５の左右の回動脚２５ａ、２５ａは、後方へ第２水平軸２４とともに回されて表示パネル１の裏面に沿わせて折り畳まれている。また、スライド部２１は表示パネル１に対して上方スライド位置にあり、後方支持部２３はストッパ機構部４にて後方への回動が規制される角度一杯まで開いた状態となっている（図９参照）。このように、表示パネル１が後方へ約３０度傾いた設置状態では、表示部パネル１の下端の各ガイド片１６の長辺と、後方支持部２３の下端が設置面に接地し、後方支持部２３が表示パネル１の後方への倒れを阻止し、表示パネル１を安定して支持している。
【００２８】
図４（ａ）に示した状態から、さらに表示パネル１のチルト角度θを小さくする場合は、前方支持部２５の左右の回動脚２５ａ、２５ａを折り畳んだままの状態で後方支持部２３を前方へ回動させていく。そして、図４（ｂ）と図１０に示すように、そして、表示パネル１のチルト角度θが所定角度（この場合、約１５°）となったところでストッパ機構部４にて後方支持部２３の前方への回動が規制される。このように、表示パネル１が後方へ約１５°傾いた設置状態では、表示部パネル１の下端の各ガイド片１６の角部と、後方支持部２３の下端が設置面に接地し、後方支持部２３が表示パネル１の後方への倒れを阻止し、表示パネル１を安定して支持している（図３（ｃ）（ｄ）参照）。
なお、ストッパ機構部４により後方支持部２３の前方への回動が規制された時点は、これ以上表示パネル１を正立状態に近づけるにはスライド部２１を下げて前方支持部２５を前方へ突出させるべきであるという合図となり、この合図により使用者は前方突出部材２５を前方へ突出させて正しい安全な状態で表示パネルを正立状態、それに近い仰向け状態あるいは俯き状態に設置することができる。
【００２９】
図４（ｂ）に示した状態から、さらに表示パネル１のチルト角度θを小さくする場合は、図４（ｃ）に示すように、スライド部２１を下方へスライドさせ、折り畳んでいる各回動脚２５ａ、２５ａを前方へ回して表示パネル１の下に位置させる。あるいは、図４（ｂ）に示した状態の各回動脚２５ａ、２５ａを前方へ回すことにより、回動脚２５ａの一部が表示パネル１の下端に当接して第２水平軸２４を下方に引っ張り、それによってスライド部２１を下方に移動させる。スタンド２が図４（ｃ）のような状態になれば、ストッパ機構部４による後方支持部２３の前方への回動規制が解除されるので、後方支持部２３を前方へ回動して閉じていくことによりチルト角度θを１５度よりも小さくしていくことができる。この設置状態では、スタンド２の前方支持部２５と後方支持部２３が設置面に接地して、表示パネル１を安定して支持している。
【００３０】
図４（ｃ）に示した状態から正立状態とするには、図４（ｄ）に示すように、後方支持部２３をさらに前方へ回動させて、表示パネル１の下端面を前方支持部２５の左右の回動脚２５ａ、２５ａの上に乗せた状態とすることにより、表示パネル１を略垂直に立ち上げることができる。この設置状態では、左右の回動脚２５ａ、２５ａが設置面に接地して表示パネル１の前方への倒れを阻止し、かつ後方支持部２３が設置面に接地して表示パネル１の後方への倒れを阻止し、安定して表示パネルを支持している（図３（ａ）（ｂ）（ｆ）参照）。
【００３１】
図４（ｄ）に示した状態から俯き状態とするには、図４（ｅ）に示すように、後方支持部２３を第２水平軸２４に当たるまで前方へ回動させて、左右の回動脚２５ａ、２５ａの後端及び第２水平軸２４を浮き上がらせた状態とすることにより、表示パネル１をやや前方に傾けることができる。この設置状態では、他の状態に比して設置スペースが最小でありながら、左右の回動脚２５ａ、２５ａの前端が設置面に接地して表示パネル１の前方への倒れを阻止し、かつ後方支持部２３が設置面に接地して表示パネル１の後方への倒れを阻止し、安定して表示パネルを支持している（図３（ｅ）参照）。
【００３２】
また、この画像表示装置Ｇ１は、図４（ｅ）に示した状態から、図４（ｆ）と図５に示すように、左右の回動脚２５ａ、２５ａを後方へ回動させて折り畳むことにより、スタンド２がコンパクトな折り畳み状態となり、この状態で梱包することにより輸送梱包費を低減することができる。なお、後方支持部２３が第２水平軸２４に当接する部分に切欠を形成してもよく、それにより後方支持部２３を表示パネル１と略平行な状態まで閉じることができ、スタンド２をよりコンパクトに折り畳むことができる。
【００３３】
［実施の形態２］
図１１は本発明の実施の形態２の画像表示装置を示す正面図であり、図１２は同実施の形態２の画像表示装置の背面図であり、図１３は同実施の形態２の画像表示装置の各種状態を示す斜視図である。
この実施の形態２の画像表示装置Ｇ２は、上記実施の形態１におけるスタンドの構造が異なり、その他の構成は実施の形態１とほぼ同様である。
【００３４】
実施の形態２の画像表示装置Ｇ２のスタンド５０は、その第２水平軸５４が、後方支持部５３の下端にある程度の回動抵抗が付加された状態で回動可能に取り付けられている。また、前方支持部５５は、第２水平軸５４の左右端にそれぞれ連設されて略直交する方向に延びるの左右１対の回動脚５５ａ，５５ａからなるが、その長さ寸法は、後述の図１３（ａ）の設置状態において、回動脚５５ａ，５５ａの前端が表示パネル１００よりも前に突出しない寸法に設定されている。なお、この画像表示装置Ｇ２の表示パネル１００は、実施の形態１における表示パネルの下端面の４枚のガイド片が省略されている。
【００３５】
次に、この画像表示装置Ｇ２の各種使用状態等について説明する。
図１３（ａ）は、スライド部５１が上方スライド位置にあり、後方支持部５３をストッパ機構部６４にて規制されるまで後方へ一杯まで開き、表示パネル１００のチルト角度θを最大角度（この場合、約３０°）にして画像表示装置Ｇ２を設置した状態を示している。この場合、前方支持部５５の左右の回動脚５５ａ、５５ａは前方へ回されて、後方支持部５３よりも前方へ突出して設置面に接地し、表示パネル１００の下端が各回動脚５５ａ、５５ａの前端に乗る。なお、５５ｂはゴム脚である。このように、表示パネル１が後方へ約３０度傾いた設置状態では、後方支持部５３が表示パネル１の後方への倒れを阻止し、表示パネル１００を安定して支持することができる。この状態のとき、前方支持部５５は表示パネル１００の重量を支えるのみで、前方への倒れ阻止には作用していない。
【００３６】
図１３（ａ）に示した状態から、さらに表示パネル１００のチルト角度θを小さくする場合は、図１３（ｂ）に示すように、表示パネル１００の下部を後方へ押しやって全体を起こしていく。これに伴って、スライド部５１が表示パネル１００に対して相対的に下方にスライドし、ストッパ機構部６４の突条部が凹部内から離脱していく。なお、図１３（ｂ）の設置状態は、表示パネル１００のチルト角度θを約１５°とした場合である。このように、表示パネル１が後方へ約１５°傾いた設置状態でも、後方支持部５３が表示パネル１００の後方への倒れを阻止し、表示パネル１００を安定して支持することができる。この状態のときも、前方支持部５５は表示パネル１００の重量を支えるのみで、前方への倒れ阻止には作用していない。
【００３７】
図１３（ｂ）に示した状態から正立状態とするには、図１３（ｃ）に示すように、表示パネル１００の下部をさらに後方へ押しやって全体を直立させていく。それに伴って、前方支持部５５の各回動脚５５ａ、５５ａの前端が表示パネル１００に対して相対的に前方に突出する。表示パネル１００が直立した正立状態では、表示パネル１００よりも前に突出した前方支持部５５が表示パネル１００の前方への倒れを阻止し、かつ後方支持部５３が後方への倒れを防止して、表示パネル１００を安定して支持することができる（図１１、図１２参照）。
【００３８】
図１３（ｃ）に示した状態から俯き状態とするには、図１３（ｄ）に示すように、表示パネル１００の下部をさらに後方へ押しやって全体を前方へやや傾かせる。それに伴って、前方支持部５５の各回動脚５５ａ、５５ａの前端が表示パネル１００に対してさらに相対的に前方に突出する。表示パネル１００の俯き状態でも、表示パネル１００よりも前に突出した前方支持部５５が表示パネル１００の前方への倒れを阻止し、かつ後方支持部５３が後方への倒れを防止して、表示パネル１００を安定して支持することができる
【００３９】
また、この画像表示装置Ｇ２は、図１３（ａ）（ｂ）（ｃ）（ｄ）に示した状態から、図１３（ｅ）に示すように、後方支持部５３を表示パネル１００の裏面に当接するまで閉じ、かつ左右の回動脚５５ａ、５５ａを後方へ回動させて折り畳むことにより、図１３（ｆ）に示すように、スタンド５０がコンパクトな折り畳み状態となり、この状態で梱包することにより輸送梱包費を低減することができる。
【００４０】
［実施の形態３］
図１４は本発明の実施の形態３の画像表示装置を示す正面図であり、図１５は同実施の形態３の画像表示装置の背面図であり、図１６は同実施の形態３の画像表示装置の各種状態を示す斜視図である。
この実施の形態３の画像表示装置Ｇ３は、上記実施の形態２におけるスタンドのスライド部の構造のみが異なり、その他の構成は実施の形態２と同様であり、同一の要素には同一の符号を付している。
【００４１】
この画像表示装置Ｇ３のスタンド６０は、そのスライド部が、表示パネル１００の枠部１１２の裏面の下半部に上下スライド可能に設けられた第１水平軸６２であり、この第１水平軸６２に後方支持部材５３の上端が固定又は回動可能に取り付けられている。また、表示パネル１００の枠部１１２の裏面には、第１水平軸６２の左右端部を挿通させ、かつ上下方向にスライドさせる長孔６３ａ、６３ａを有する左右１対のガイド板６３、６３が付設されている。このように、実施の形態３の画像表示装置Ｇ３では、実施の形態１、２よりも、スライド部及びそのスライド可能な取付構造が簡素化されている。
【００４２】
次に、この画像表示装置Ｇ３の各種使用状態等について説明する。
図１６（ａ）は、スライド部としての第１水平軸６２が上方スライド位置にあり、後方支持部５３をストッパ機構部６４にて規制されるまで後方へ一杯まで開き、表示パネル１００のチルト角度θを最大角度（この場合、約３０°）にして画像表示装置Ｇ３を設置した状態を示している。この場合、前方支持部５５の左右の回動脚５５ａ、５５ａは前方へ回されて、後方支持部５３よりも前方へ突出して設置面に接地し、表示パネル１００の下端が各回動脚５５ａ、５５ａの前端に乗る。このように、表示パネル１が後方へ約３０度傾いた設置状態では、後方支持部５３が表示パネル１の後方への倒れを阻止し、表示パネル１００を安定して支持することができる。この状態のとき、前方支持部５５は表示パネル１００の重量を支えるのみで、前方への倒れ阻止には作用していない。
【００４３】
図１６（ａ）に示した状態から、さらに表示パネル１００のチルト角度θを小さくする場合は、図１６（ｂ）に示すように、表示パネル１００の下部を後方へ押しやって全体を起こしていく。これに伴って、第１水平軸６２が表示パネル１００に対して相対的に下方にスライドし、ストッパ機構部６４の突条部が凹部内から離脱していく。なお、図１６（ｂ）の設置状態は、表示パネル１のチルト角度θを約１５°とした場合である。このように、表示パネル１００が後方へ約１５°傾いた設置状態でも、後方支持部５３が表示パネル１００の後方への倒れを阻止し、表示パネル１００を安定して支持することができる。この状態のときも、前方支持部５５は表示パネル１００の重量を支えるのみで、前方への倒れ阻止には作用していない。
【００４４】
図１６（ｂ）に示した状態から正立状態とするには、図１６（ｃ）に示すように、表示パネル１００の下部をさらに後方へ押しやって全体を直立させていく。それに伴って、前方支持部５５の各回動脚５５ａ、５５ａの前端が表示パネル１００に対して相対的に前方に突出する。表示パネル１００が直立した正立状態では、表示パネル１００よりも前に突出した前方支持部５５が表示パネル１００の前方への倒れを阻止し、かつ後方支持部５３が後方への倒れを防止して、表示パネル１００を安定して支持することができる（図１４、図１５参照）。
【００４５】
図１６（ｃ）に示した状態から俯き状態とするには、図１６（ｄ）に示すように、表示パネル１００の下部をさらに後方へ押しやって全体を前方へやや傾かせる。それに伴って、前方支持部５５の各回動脚５５ａ、５５ａの前端が表示パネル１００に対してさらに相対的に前方に突出する。表示パネル１００の俯き状態でも、表示パネル１００よりも前に突出した前方支持部５５が表示パネル１００の前方への倒れを阻止し、かつ後方支持部５３が後方への倒れを防止して、表示パネル１００を安定して支持することができる
【００４６】
また、この画像表示装置Ｇ３は、図１６（ａ）（ｂ）（ｃ）（ｄ）に示した状態から、図１６（ｅ）に示すように、後方支持部５３を表示パネル１００の裏面に当接するまで閉じ、かつ左右の回動脚５５ａ、５５ａを後方へ回動させて折り畳むことにより、図１６（ｆ）に示すように、スタンド５０がコンパクトな折り畳み状態となり、この状態で梱包することにより輸送梱包費を低減することができる。
【００４７】
上記実施の形態１、２、３の画像表示装置によれば、転倒しない安全性を確保しながら、表示パネルの正立状態、もしくはこれに近い傾斜角の状態や俯き状態で設置可能である。また、表示パネルのチルト角度によって設置面積は変化するが、それぞれのチルト角度において転倒しない安全性を確保しながら省スペース化を実現できる。また、表示パネルの水平度を保ち易い、安定性を保ち易い、容易にスタンドを収納でき、コンパクトな梱包ができるという衝立て式スタンドの利点も継承している。
【００４８】
［他の実施の形態］
１．上記実施の形態２、３では、ストッパ機構部を備えた画像表示装置を例示したが、例えば図１３（ａ）及び図１６（ａ）に示したように、表示パネルがある一定のチルト角度θ以上に後方に傾けば下端が前方支持部の各回動脚のゴム脚に当接して、それ以上の傾きが防止されるようにすれ
ば、ストッパ機構部は省略することができる。
２．また、表示パネルとしては、横長のワイド形のものとしてもよい。
【００４９】
【発明の効果】
本発明によれば、表示パネルをある程度後方へ傾斜させた仰向け状態は無論のこと、転倒しない安全性を確保しながら表示パネル部の正立状態、もしくはこれに近い傾斜角の仰向け状態や、前方へやや傾いた俯き状態に支持することが可能となる。したがって、使用者の姿勢や表示パネルの設置場所等の使用状況に十分対応することができる。また、表示パネルに対して後方支持部の角度がある程度大きく、表示パネルの安定性が十分確保されている状態では、スライド部材は上方位置にあって前方支持部は前方に突出しないので、表示パネルの傾斜角度に対応して最小の設置面積を実現できる。つまり、表示パネルのチルト角度によって設置面積は変化するが、それぞれのチルト角度において転倒しない安全性を確保しながら省スペース化を実現できる。
【図面の簡単な説明】
【図１】本発明の実施の形態１の画像表示装置を示す正面図である。
【図２】同実施の形態１の画像表示装置の背面図である。
【図３】同実施の形態１の画像表示装置の各種状態を示す斜視図である。
【図４】同実施の形態１の画像表示装置の各種状態を示す側面図である。
【図５】同実施の形態１の画像表示装置の梱包時の状態を示す斜視図である。
【図６】同実施の形態１の画像表示装置における支持構造を示す斜視図である。
【図７】図６の支持構造の分解図である。
【図８】同実施の形態１の画像表示装置における表示パネルの裏面側の枠部を示す斜視図である。
【図９】図４（ａ）の要部拡大図である。
【図１０】図４（ｂ）の要部拡大図である。
【図１１】本発明の実施の形態２の画像表示装置を示す正面図である。
【図１２】同実施の形態２の画像表示装置の背面図である。
【図１３】同実施の形態２の画像表示装置の各種状態を示す側面図である。
【図１４】本発明の実施の形態３の画像表示装置を示す正面図である。
【図１５】同実施の形態３の画像表示装置の背面図である。
【図１６】同実施の形態３の画像表示装置の各種状態を示す側面図である。
【符号の説明】
１、１００  表示パネル
２、５０、６０  スタンド
１１  画面部
１２、１１２  枠部
２１、５１  スライド部
２２、５２、６２  第１水平軸
２３、５３  後方支持部
２４、５４  第２水平軸
２５、５５  前方支持部
【図１】
2004317855.tif 000003
【図２】
2004317855.tif 000004
【図３】
2004317855.tif 000005
【図４】
2004317855.tif 000006
【図５】
2004317855.tif 000007
【図６】
2004317855.tif 000008
【図７】
2004317855.tif 000009
【図８】
2004317855.tif 000010
【図９】
2004317855.tif 000011
【図１０】
2004317855.tif 000012
【図１１】
2004317855.tif 000013
【図１２】
2004317855.tif 000014
【図１３】
2004317855.tif 000015
【図１４】
2004317855.tif 000016
【図１５】
2004317855.tif 000017
【図１６】
2004317855.tif 000018